(57)【要約】【課題】  食用油の劣化程度に関する指標（酸価、重量物量、色度、極性化合物量）を全て（もしくは複数）捕捉して食用油の劣化程度を評価することができ、かつ食用油の使用時間、測定温度の条件を考慮することなく食用油の劣化程度の評価することができる簡便な方法、装置等を提供することにある。【解決手段】  本発明は、被験油の導電率の温度依存性の傾きと、食用油の劣化程度に関する指標（酸価、重量物量、色度、極性化合物量）との間に良好な相関関係があるという知見に基づくものであり、本発明の食用油の劣化程度の評価方法は、被験油の導電率の温度依存性の傾きから、酸価、重量物量、色度および極性化合物量のうち少なくとも１つ以上を算出する工程、または被験油の導電率の温度依存性の傾きが所定の値以上となった場合に、被験油が食用油として使用不可であると判断する工程を含むことを特徴としている。【選択図】  なし【特許請求の範囲】
【請求項１】
被験油の導電率の温度依存性の傾きを、当該被験油の劣化程度の指標として使用する工程を、含むことを特徴とする食用油の劣化程度の評価方法。
【請求項２】
上記被験油の導電率の温度依存性の傾きを、当該被験油の劣化程度の指標として使用する工程は、
被験油の導電率の温度依存性の傾きから、酸価、重量物量、色度および極性化合物量のうち少なくとも１つ以上を算出する工程であることを特徴とする請求項１に記載の評価方法。
【請求項３】
上記被験油の導電率の温度依存性の傾きを、当該被験油の劣化程度の指標として使用する工程は、
被験油の導電率の温度依存性の傾きが所定の値以上となった場合に、被験油が食用油として使用不可であると判断する工程であることを特徴とする請求項１に記載の評価方法。
【請求項４】
少なくとも異なる２点以上の温度における被験油の導電率を測定し、当該被験油の導電率の温度依存性の傾きを算出する工程を、さらに含むことを特徴とする請求項１ないし３のいずれか１項に記載の評価方法。
【請求項５】
上記温度が、１４０℃以上２００℃以下であることを特徴とする請求項４に記載の評価方法。
【請求項６】
被験油の導電率を測定する導電率測定部、
被験油の温度を測定する温度測定部、および
被験油の導電率の温度依存性の傾きを計算する計算部を備えることを特徴とする食用油の劣化程度評価装置。
【請求項７】
請求項６に記載の食用油の劣化程度評価装置を備えることを特徴とするフライ用器具。
【発明の詳細な説明】
【技術分野】
【０００１】
本発明は、食用油の劣化程度を評価する方法、食用油の劣化程度評価装置、および前記食用油の劣化程度評価装置を備えたフライ用器具に関するものである。
【背景技術】
【０００２】
劣化した食用油は、それを用いて揚げたフライ食品の味、香り等の品質面に影響を及ぼすのみならず、当該劣化した食用油を人が摂取することによって胸焼けや吐き気の原因となる場合がある。よって、できるだけ劣化した食用油を使用しないことが好ましいといえる。
【０００３】
食用油の劣化においては、熱酸化、熱重合、熱分解、加水分解などの現象が複合的に起こる。食用油の劣化程度の指標としては、酸価が一般的に用いられているが、酸価では加水分解以外の現象を捉えることはできない。食用油の劣化程度を判断する際に、酸価のみを指標として評価するだけでは、食用油の劣化程度の実際とは異なる、誤った判断をする可能性がある。そのため、一般的に用いられている酸価だけでは不十分で、重合物量や極性化合物量の測定を組み合わせて食用油の劣化程度を判断することが必要であると考えられる（例えば非特許文献１、２参照）。しかし、上記重量物量、極性化合物量を測定するためには、ＨＰＬＣ等のクロマトグラフィーを行なう必要があり、複雑な装置および複雑な操作が必要なこと、測定に際し一定の技量が必要となること、等の不都合がある。
【０００４】
その他の食用油の劣化程度を評価する指標としては、食用油の色度があるが、食用油の種類によって、その値が異なるため正確な評価を行なうことができない。また、その他の食用油の劣化程度を評価する手段または方法としては、被験油の静電容量から極性化合物量を測定する装置が知られている（非特許文献３参照）。さらに被験油の比オーム抵抗値を指標として揚げ物料理用の油または脂肪の腐敗度を検出する方法が知られている（特許文献１参照）。
【特許文献１】特開平７−１５１７２２号公報（公開日：平成７年（１９９５）６月１６日）
【非特許文献１】Tyagi VK，Vasishtha AK，Changes in the characteristics and composition of oils during deep-fat frying．，JOURNAL OF THE AMERICAN OIL CHEMISTS’ SOCIETY．，73，499‐506（1996）
【非特許文献２】藤村 浩嗣他，フライ調理現場における総合的なフライ油管理手法，日本食品科学工学会誌，49，422-427（2002）
【非特許文献３】株式会社テストー ホームページ、〔平成１７年２月１日検索〕、インターネット＜http://www.testo.jp/products/08/testo265.html＞
【発明の開示】
【発明が解決しようとする課題】
【０００５】
非特許文献２に記載の食用油の劣化程度を評価する装置は、極性化合物量のみを測定して評価する手段であり、食用油の劣化程度に関する指標（酸価、重量物量、色度、極性化合物量）を全て（もしくは複数）捕捉して食用油の劣化程度を評価することはできない。よって、食用油の劣化程度を評価する手段としては不十分である。
【０００６】
一方、特許文献１に記載の揚げ物料理用の油または脂肪の腐敗度を検出する方法は、８時間または１６時間以上フライに使用した食用油について、食用油の比オーム抵抗（または導電率）と、腐敗度（極脂肪画分または酸価）との相関関係を利用して評価する方法であり、使用から８時間未満の食用油の劣化度の評価には適していない。また比オーム抵抗（または導電率）は温度依存的であるため、比オーム抵抗（または導電率）を指標として食用油の劣化程度を評価するためには、比オーム抵抗（または導電率）の測定温度を考慮する必要がある。したがって、常に一定の測定温度で食用油の比オーム抵抗（または導電率）を測定するか、または測定温度ごとに食用油の比抵抗（または導電率）と、腐敗度（極脂肪画分または酸価）との相関関係を予め検討しておく必要があり、食用油の評価方法としては十分かつ簡便な方法とはなっていない。
【０００７】
本発明は、上記問題点に鑑みなされたものであり、食用油の劣化程度に関する指標（酸価、重量物量、色度、極性化合物量）を全て（もしくは複数を）捕捉して食用油の劣化程度を評価することができ、かつ食用油の使用時間、測定温度の諸条件を考慮することなく食用油の劣化程度の評価することができる簡便な方法、装置等を提供することにある。
【課題を解決するための手段】
【０００８】
本発明の発明者らは、上記課題を解決すべく鋭意検討を行なったところ、被験油の導電率の温度依存性の傾きと、食用油の劣化程度に関する指標（酸価、重量物量、色度、極性化合物量）との間に良好な相関関係があることを見出した。本発明は、上記新規知見に基づき完成されたものである。
【０００９】
すなわち本発明にかかる食用油の劣化程度の評価方法は、上記課題を解決すべく、被験油の導電率の温度依存性の傾きを、当該被験油の劣化程度の指標として使用する工程を、含むことを特徴としている。
【００１０】
また本発明にかかる食用油の劣化程度の評価方法は、上記課題を解決すべく、上記被験油の導電率の温度依存性の傾きを、当該被験油の劣化程度の指標として使用する工程は、被験油の導電率の温度依存性の傾きから、酸価、重量物量、色度および極性化合物量のうち少なくとも１つ以上を算出する工程であることを特徴とするものであってもよい。
【００１１】
また本発明にかかる食用油の劣化程度の評価方法は、上記課題を解決すべく、上記被験油の導電率の温度依存性の傾きを、当該被験油の劣化程度の指標として使用する工程は、被験油の導電率の温度依存性の傾きが所定の値以上となった場合に、被験油が食用油として使用不可であると判断する工程であることを特徴とするものであってもよい。
【００１２】
また本発明にかかる食用油の劣化程度の評価方法は、上記課題を解決すべく、上記構成に加え、少なくとも異なる２点以上の温度における被験油の導電率を測定し、当該被験油の導電率の温度依存性の傾きを算出する工程を、さらに含むことを特徴とするものであってもよい。
【００１３】
また本発明にかかる食用油の劣化程度の評価方法は、上記課題を解決すべく、上記温度が、１４０℃〜２００℃であることを特徴とする構成であってもよい。
【００１４】
一方、本発明にかかる食用油の劣化程度評価装置は、上記課題を解決すべく、被験油の導電率を測定する導電率測定部、被験油の温度を測定する温度測定部、および被験油の導電率の温度依存性の傾きを計算する計算部を備えることを特徴としている。
【００１５】
一方、本発明にかかるフライ用器具は、上記食用油の劣化程度評価装置を備えることを特徴としている。
【発明の効果】
【００１６】
本発明にかかる食用油の劣化程度の評価方法は、被験油の導電率の温度依存性の傾きと、食用油の劣化程度に関する指標（酸価、重量物量、色度、極性化合物量）との間に良好な相関関係があるという知見に基づいて、被験油の導電率の温度依存性の傾きを指標とする評価方法である。それゆえ、食用油の劣化程度に関する指標（酸価、重量物量、色度、極性化合物量）を全て捕捉して、被験油の劣化の程度を評価することができるという効果を奏する。
【００１７】
また、導電率の測定温度を考慮した被験油の導電率の温度依存性の傾きを指標としており、導電率の測定温度ごとに標準曲線を作成する必要がなく、さらに劣化の程度を評価するのに好適な被験油の条件（被験油の使用時間）にとらわれることがない。したがって、食用油の劣化程度の評価方法として簡便な方法を提供できるという効果を奏する。
【００１８】
また本発明にかかる食用油の劣化程度評価装置によれば、被験油の導電率および温度を測定し、その測定値から被験油の導電率の温度依存性の傾きを計算することができる。上述の通り、被験油の導電率の温度依存性の傾きと、食用油の劣化程度に関する指標（酸価、重量物量、色度、極性化合物量）との間に良好な相関関係がある。それゆえ本発明にかかる食用油の劣化程度評価装置によれば、被験油の劣化程度を簡便に測定することができるという効果を奏する。
【００１９】
また本発明にかかるフライ用器具は、上記本発明にかかる食用油の劣化程度評価装置を備えている。それゆえ、フライに使用している食用油の劣化程度を、フライを行ないながら評価することができ、当該食用油の交換時期を即座に判断することができるという効果を奏する。
【発明を実施するための最良の形態】
【００２０】
本発明の実施の形態について説明すれば、以下のとおりである。なお、本発明はこれに限定されるものではない。
【００２１】
＜１．本発明にかかる食用油の劣化程度の評価方法＞
本発明にかかる食用油の劣化程度の評価方法（以下「本発明の評価方法」という）は、被験油の導電率の温度依存性の傾きを、当該被験油の劣化程度の指標として使用する工程、を含むことを特徴とするものである。これは、被験油の導電率の温度依存性の傾きと、食用油の劣化程度に関する指標（酸価、重量物量、色度、極性化合物量）との間に良好な相関関係があるという知見に基づくものである。以下にかかる相関関係を見出すに至った試験について説示する。
【００２２】
なお「食用油」とは、食に供される油脂のことであり、当該油脂には、植物性油脂、動物性油脂がある。植物性油脂としては、パーム油、ナタネ油、ゴマ油、オリーブ油、コーン油、サラダ油等が挙げられ、動物性油脂としては、ラード、牛脂、魚油等が挙げられる。上記食用油には、パルミチン酸、ステアリン酸、オレイン酸、リノール酸、リノレン酸等が含まれている。また「被験油」とは、本は発明の評価方法が適用される食用油のことを意味する。
【００２３】
＜１−１．被験油の導電率の温度依存性の傾きと、食用油の劣化程度に関する指標（酸価、重量物量、色度、極性化合物量）との関係＞
〔被験油〕
フライ食品の製造に使用した食用油を被験油として用いた。より具体的には、食用油の劣化程度の指標である酸価、重合物量、色度を予め測定した４種類の被験油（Ｆ２：学校給食、Ｈ１：病院給食、Ａ２：工場給食、Ａ３：工場給食）を使用した。
【００２４】
ここで酸価とは、脂肪、脂肪酸およびろうの１ｇ中に含まれる遊離脂肪酸を中和するのに要する水酸化カリウムのミリグラム数を意味する。酸価は油脂の品位を定める基準の１つとして重要な値で、ことに食用油は酸価が１以下であることを要する。なお酸価の測定は、試料をアルコール−エーテルに溶し、これにフェノールフタレインを指示薬として０．５Ｎ水酸化カリウム出て規定することにより行なうことができる。
【００２５】
また重合物量とは、熱重合により生成した重合物の量を示す指標を意味する。なお重合物量の測定は、ＨＰＬＣを用いて行なった。簡単には、AOCS標準法（Cd22-91）に準拠し、以下の条件でGPCモードによるＨＰＬＣ法で測定した。測定はHP-1090SeriesII（Agilent Technologies）、ポリスチレンゲルカラムShodex KF-802(8×300mm)直列2本、示差屈折計（Shodex RI SE-62）、移動相テトラヒドロフラン（流速1ml/min）を用いて室温において行なった。なお、上記重合物量の測定については、非特許文献２の記載を援用することができる。この他、重合物量の分析方法については、例えば［編者  小原  哲二郎、「食用油脂とその加工」、ｐ181-221、建帛社］に記載されている。また食用油の劣化と重合物の関係については、例えば［太田  静行、湯木  悦二  著「改訂  フライ食品の理論と実際」、ｐ40-43、幸書房］記載されている。
【００２６】
一方、色度とは被験油の着色程度を意味する。色度の測定は色差計（ＡＳＴＭ色差計）により行なった。色差計は特に限定されるものではなく、市販品を適宜使用すればよい。
【００２７】
被験油の使用日数と劣化程度（酸価、重合物量、色度）との関係を表１に示す。
【００２８】
【表１】
2006226735.tif 000002
【００２９】
表１は、左端カラムから順に被験油の名称、被験油の使用日数、被験油のＮｏ．、酸価、重合物量、色度を示している。
【００３０】
〔試験方法〕
誘電特性（静電容量Ｃ、導電率（コンダクタンス）Ｇ、抵抗Ｒ）の測定には、自作の平行平板電極にＬＣＲメーター（HIOKI社製、3532 LCR HITESTER）を接続した誘電特性測定装置を用いた。当該誘電特性測定装置１０の概略を図１に示し、上記自作の平行平板電極２０の概略を図２（図２（ａ）は斜視図、図２（ｂ）上面図）に示す。
【００３１】
図１に示すように、誘電特性測定装置１０は、概略的に、一対の平行平板電極２０を備えたステンレスカップ１１、ステンレスカップ１１を所定の温度とする温度制御手段１２、ステンレスカップ１１内の温度を測定する熱電対１３、温度制御手段１２によって制御可能なヒーター１４、ＬＣＲメーター１５、測定用コンピュータ１６とを備えて構成されている。
【００３２】
図２（ａ）、（ｂ）に示すように、平行平板電極２０は２枚の平板電極２１ａ、２１ｂ（縦１００ｍｍ×横６０ｍｍ）で構成されており、絶縁体２２を介して電極板間距離４ｍｍとなるように固定されている。
【００３３】
ステンレスカップ１１（２Ｌ容）に、常温の被験油１７（食用油）を１．４Ｌ注ぎ、各種測定を行なった。ステンレスカップ１１を加熱し、被験油１７の温度を１４０℃、１６０℃、１８０℃、２００℃に調節し、低温から順に測定を行なった。１分間隔で１０回測定を行ない、平均値を測定値として採用した。測定周波数は、１kHzとした。また、各々の測定の際、被験油１７（食用油）を注ぐ前に空の状態での空気の静電容量を測定し、以下の（１）式を用いて誘電率を算出した。
【００３４】
【数１】
2006226735.tif 000003
【００３５】
なおこのＬＣＲメーター１５は測定周波数が４２Hz〜５MHzの範囲で測定が可能である。また測定用コンピュータ１６によりＬＣＲメーター１５を制御して試料の誘電特性を記録した。
【００３６】
〔結果及び考察〕
（Ａ）被験油の誘電率または導電率と、温度との関係
各被験油（食用油）の温度と誘電率との関係を図３、４、５、６に示した。図３は被験油Ｆ２の結果を示し、図４は被験油Ｈ１の結果を示し、図５は被験油Ａ２の結果を示し、図６は被験油Ａ３の結果を示した。なお図中のシンボルに対応するそれぞれの被験油Ｎｏ．は、表１に示す被験油Ｎｏ．と一致しており、表１を参照することにより被験油を把握することができる。図３〜６より、誘電率は温度上昇に伴い概ね減少する傾向が見られた。しかし、一部の被験油（F2-3,F2-4、H1-3、A2-10、A3-8）では、温度上昇に伴い誘電率が増加する傾向を示した。
【００３７】
一方、各被験油の温度と導電率（コンダクタンス）との関係を図７、８、９、１０に示した。図７は被験油Ｆ２の結果を示し、図８は被験油Ｈ１の結果を示し、図９は被験油Ａ２の結果を示し、図１０は被験油Ａ３の結果を示した。なお図中のシンボルに対応するそれぞれの被験油Ｎｏ．は、表１に示す被験油Ｎｏ．と一致しており、表１を参照することにより被験油を把握することができる。温度変化に伴い導電率（コンダクタンス）は直線的に変化した。また、被験油の使用日数が増加するに従い、直線の傾きが大きくなる傾向が見られた。よって被験油の劣化程度が導電率（コンダクタンス）の温度依存性に影響を及ぼすことが分かった。
【００３８】
被験油の誘電率と導電率（コンダクタンス）には温度依存性があった。従って、誘電率または導電率（コンダクタンス）を利用してフライ油の劣化程度を判定する場合には、誘電率または導電率（コンダクタンス）の温度依存性を考慮する必要があることが明らかとなった。
【００３９】
（Ｂ）被験油の劣化程度と誘電率または導電率との関係
各被験油の劣化程度と誘電率との関係を、図１１、１２、１３、１４に示した。図１１は被験油Ｆ２の結果を示し、図１２は被験油Ｈ１の結果を示し、図１３は被験油Ａ２の結果を示し、図１３は被験油Ａ３の結果を示した。また図１１（ａ）は酸価と誘電率との関係を示し、図１１（ｂ）は重量物量と誘電率との関係を示し、図１１（ｃ）は色度と誘電率の関係を示す（図１２、１３、１４において同じ）。図１１〜１４の結果より、被験油の劣化程度が増加するに従い誘電率も増加するということが分かった。
【００４０】
一方、各被験油の劣化程度と導電率（コンダクタンス）との関係を図１５、１６、１７、１８に示した。図１５は被験油Ｆ２の結果を示し、図１６は被験油Ｈ１の結果を示し、図１７は被験油Ａ２の結果を示し、図１８は被験油Ａ３の結果を示した。また図１５（ａ）は酸価と導電率との関係を示し、図１５（ｂ）は重量物量と導電率との関係を示し、図１５（ｃ）は色度と導電率の関係を示す（図１６、１７、１８において同じ）。図１５〜１８の結果より、誘電率と同様に被験油の劣化程度が増加するに従い、導電率（コンダクタンス）も増加する傾向を示した。また、フライ油の劣化程度と導電率（コンダクタンス）との間には良好な相関関係が見られた。
【００４１】
各温度における被験油の劣化程度と誘電率または導電率との間の相関係数Ｒ2を図１１〜１８から求め、表２、３、４、５に示した。
【００４２】
【表２】
2006226735.tif 000004
【００４３】
【表３】
2006226735.tif 000005
【００４４】
【表４】
2006226735.tif 000006
【００４５】
【表５】
2006226735.tif 000007
【００４６】
表２〜５より、誘電率と導電率（コンダクタンス）を比較した場合、全体的な傾向として、導電率（コンダクタンス）は誘電率よりも良好な相関係数を示すことが明らかとなった。このフライ油の劣化程度とフライ油の導電率（コンダクタンス）との対応関係をより詳細に計測することで、フライ油の導電率（コンダクタンス）をフライ油の劣化程度の指標として利用可能であるということが分かった。したがって、導電率（コンダクタンス）がフライ油の劣化程度の把握に適していることが分かった。
【００４７】
（Ｃ）導電率（コンダクタンス）の温度依存性を利用した試験結果の解析
図７〜１０において、被験油の劣化程度との間に関連性が示唆された導電率（コンダクタンス）の温度依存性について検討を行なった。全ての被験油における温度と導電率（コンダクタンス）との関係を図１９に示した。なお図中のシンボルに対応するそれぞれの被験油Ｎｏ．は、表１に示す被験油Ｎｏ．と一致しており、表１を参照することにより被験油を把握することができる。図７〜１０と同様に、被験油の使用日数が増加するに従い直線の傾きが大きくなることが明らかとなった。すなわち、被験油の劣化程度が導電率（コンダクタンス）の温度依存性に影響を及ぼすことを図７〜１０及び図１９は示している。図７〜１０及び図１９から導電率（コンダクタンス）の温度依存性の傾き（以下、適宜「ｄＧ／ｄＴ」で示す）、すなわち図７〜１０および図１９における直線の傾きを求め、当該ｄＧ／ｄＴと被験油の劣化程度（酸価、重合物量、色度）との関係を、図２０、２１、２２、２３、２４、および２５に示した。図２０は被験油Ｆ２の結果を示し、図２１は被験油Ｈ１の結果を示し、図２２は被験油Ａ２の結果を示し、図２３は被験油Ａ３の結果を示した。また図２４は全ての被験油とｄＧ／ｄＴとの関係を示した。なお図２０（ａ）は酸価とｄＧ／ｄＴとの関係を示し、図２０（ｂ）は重量物量とｄＧ／ｄＴとの関係を示し、図２０（ｃ）は色度とｄＧ／ｄＴの関係を示す（図２１、２２、２３、および２４において同じ）。
【００４８】
図２０〜２４の結果より、被験油の劣化程度と導電率（コンダクタンス）の温度依存性の傾き（ｄＧ／ｄＴ）との間には良好な相関関係があることが明らかとなった。具体的には、図２０（ａ）の結果から、被験油Ｆ２に関し、ｄＧ／ｄＴと酸価との相関係数Ｒ２は０．９７１であり、このときの直線回帰式は、Ｙ＝0.0000000002029Ｘ＋0.0000000001038であった。また、図２０（ｂ）の結果から、被験油Ｆ２に関し、ｄＧ／ｄＴと重合物量との相関係数Ｒ２は０．９７７４であり、このときの直線回帰式は、Ｙ＝0.0000000001183Ｘ−0.0000000000184であった。また、図２０（ｃ）の結果から、被験油Ｆ２に関し、ｄＧ／ｄＴと色度との相関係数Ｒ２は０．９５６２であり、このときの直線回帰式は、Ｙ＝0.0000000000063Ｘ＋0.0000000001100であった。
【００４９】
また図２１（ａ）の結果から、被験油Ｈ１に関し、ｄＧ／ｄＴと酸価との相関係数Ｒ２は０．９９７３であり、このときの直線回帰式は、Ｙ＝0.0000000013080Ｘ＋0.0000000000227であった。また、図２１（ｂ）の結果から、被験油Ｈ１に関し、ｄＧ／ｄＴと重合物量との相関係数Ｒ２は０．９５１３であり、このときの直線回帰式は、Ｙ＝0.0000000001367Ｘ−0.0000000000583であった。また、図２１（ｃ）の結果から、被験油Ｈ１に関し、ｄＧ／ｄＴと色度との相関係数Ｒ２は０．９５２５であり、このときの直線回帰式は、Ｙ＝0.0000000000128Ｘ＋0.0000000000277であった。
【００５０】
また図２２（ａ）の結果から、被験油Ａ２に関し、ｄＧ／ｄＴと酸価との相関係数Ｒ２は０．９９６３であり、このときの直線回帰式は、Ｙ＝0.0000000005942Ｘ−0.0000000000057であった。また、図２２（ｂ）の結果から、被験油Ａ２に関し、ｄＧ／ｄＴと重合物量との相関係数Ｒ２は０．９７８１であり、このときの直線回帰式は、Ｙ＝0.0000000001956Ｘ−0.0000000003132であった。また、図２１（ｃ）の結果から、被験油Ａ２に関し、ｄＧ／ｄＴと色度との相関係数Ｒ２は０．９９５９であり、このときの直線回帰式は、Ｙ＝0.0000000000091Ｘ＋0.0000000000069であった。
【００５１】
また図２３（ａ）の結果から、被験油Ａ３に関し、ｄＧ／ｄＴと酸価との相関係数Ｒ２は０．９９５７であり、このときの直線回帰式は、Ｙ＝0.0000000004632Ｘ−0.0000000000246であった。また、図２３（ｂ）の結果から、被験油Ａ３に関し、ｄＧ／ｄＴと重合物量との相関係数Ｒ２は０．９６１３であり、このときの直線回帰式は、Ｙ＝0.0000000001235Ｘ−0.0000000002182であった。また、図２３（ｃ）の結果から、被験油Ａ３に関し、ｄＧ／ｄＴと色度との相関係数Ｒ２は０．９９８４であり、このときの直線回帰式は、Ｙ＝0.0000000000058Ｘ＋0.0000000000034であった。
【００５２】
さらに図２４（ａ）の結果から、全ての被験油に関し、ｄＧ／ｄＴと酸価との相関係数Ｒ２は０．７９６５であり、このときの直線回帰式は、Ｙ＝0.0000000003856Ｘ＋0.0000000000274であった。また、図２４（ｂ）の結果から、全ての被験油に関し、ｄＧ／ｄＴと重合物量との相関係数Ｒ２は０．８６８６であり、このときの直線回帰式は、Ｙ＝0.0000000001457Ｘ−0.0000000001860であった。また、図２４（ｃ）の結果から、全ての被験油に関し、ｄＧ／ｄＴと色度との相関係数Ｒ２は０．９２３２であり、このときの直線回帰式は、Ｙ＝0.0000000000072Ｘ＋0.0000000000334であった。
【００５３】
今回試験に用いた被験油（Ｆ２、Ｈ１、Ａ２、Ａ３）は、油の種類、使用方法、使用条件等が異なるにも関わらず、図２４に示すように、被験油の劣化程度と導電率（コンダクタンス）の温度依存性の傾き（ｄＧ／ｄＴ）との間に良好な相関関係を示した。したがって、被験油種類に関係なくｄＧ／ｄＴを求めることによって、当該被験油の劣化程度を評価することができるということがわかった。
【００５４】
＜１−２．本発明の評価方法の実施形態＞
（Ｄ）導電率（コンダクタンス）の温度依存性の傾き（ｄＧ／ｄＴ）の把握
本発明の評価方法は既述のとおり、導電率（コンダクタンス）の温度依存性の傾き（ｄＧ／ｄＴ）を指標として使用し、被験油の劣化程度を評価するため、本発明の評価方法を実施する際には、まず被験油の導電率、および導電率測定時の被験油の温度を測定する必要がある。被験油の導電率の測定は、公知のテスター（導通試験機）を用いて測定すればよい。ただし、被験油は抵抗が極めて高いために、油の導電率を測定することができるテスターを適宜選択の上、適用する必要がある。例えば、上記図１に示した誘電特性測定装置は、被験油の導電率の測定に利用可能である。また被験油の温度測定は、公知の温度計、サーモセンサーを用いればよい。
【００５５】
本発明の評価方法は、導電率（コンダクタンス）の温度依存性の傾き（ｄＧ／ｄＴ）を指標とするために、少なくとも異なる２点以上の温度において、被験油の導電率を測定することが好ましい。このように、異なる温度において少なくとも２点の導電率の値があれば、導電率と温度との関係を示す直線が引け、その直線の回帰式からｄＧ/ｄＴを算出することができる。ただし、導電率の測定は異なる温度において、可能な限り多く測定することが好ましい。さらに、同一の温度においても複数回、導電率を測定しておくことが好ましい。導電率と温度との関係を示す直線の精度を向上させることが可能となり、本発明の評価方法による劣化程度の評価の精度が向上するからである。なおｄＧ／ｄＴは、測定温度とその温度における導電率（コンダクタンス）との関係を示す直線回帰式を最小二乗法等で計算すればよい。
【００５６】
また、被験油の導電率を測定する温度は特に限定されるものではないが、実施にフライを行なう温度であること、劣化程度と導電率との相関が高いことを考慮すれば、１４０℃以上２００℃以下が好ましく、１６０℃以上１８０℃以下がさらに好ましい。
【００５７】
（Ｅ）導電率（コンダクタンス）の温度依存性の傾き（ｄＧ／ｄＴ）を用いた被験油の劣化度の評価
本発明の評価方法に含まれる被験油の温度依存性の傾き（ｄＧ／ｄＴ）を、被験油の劣化程度の指標として使用する工程は、特に限定されるものではないが、例えば、被験油の導電率の温度依存性の傾き（ｄＧ/ｄＴ）から、酸価、重量物量および色度のうち少なくとも１つ以上を算出する工程であることが挙げられる。
【００５８】
被験油の導電率の温度依存性の傾き（ｄＧ/ｄＴ）と、酸価、重量物量、または色度との関係を示す標準曲線を予め作成しておき、上記（Ｄ）によって把握した被験油の温度依存性の傾き（ｄＧ／ｄＴ）を、酸価、重量物量、または色度についての各標準曲線に当てはめ、酸価、重量物量、または色度を算出すればよい。こうのようにして算出した酸価、重量物量、または色度が、酸価、重量物、または色度についての限界値（食用油として使用不可であるというの所定の値）以上となった時に、当該被験油は食用油として使用不可であると判断することができる。
【００５９】
なお上記各標準曲線は、被験油と同種の食用油について、上記＜１−１＞の項において説示した操作を行なって作成しておくことが、評価の精度を向上するために好ましいといえる。しかし、図２４について上記＜１−１＞の項で説示したごとく、図２４に示した標準曲線は種々広範な食用油に適用可能であるということが分かっているため、図２４に示した各標準曲線を利用して、被験油の酸価、重量物量、または色度を算出してもよい。
【００６０】
また、本発明の評価方法に含まれる被験油の温度依存性の傾き（ｄＧ／ｄＴ）を、被験油の劣化程度の指標として使用する工程は、被験油の導電率の温度依存性の傾きが所定の値以上となった場合に、被験油が食用油として使用不可であると判断する工程であってもよい。酸価、重量物、または色度についての限界値（食用油として使用不可であるというの所定の値）を、被験油の導電率の温度依存性の傾き（ｄＧ/ｄＴ）と、酸価、重量物量、または色度との関係を示す標準曲線を用いて換算すれば、被験油の導電率の温度依存性の傾き（ｄＧ/ｄＴ）の限界値を求めることができる。したがって、被験油の導電率の温度依存性の傾き（ｄＧ/ｄＴ）が、被験油の限界値以上となった時に当該被験油は、食用油として使用不可であると判断すればよい。
【００６１】
なお、酸価、または重量物量についての限界値（食用油として使用不可であるというの所定の値）は適宜設定すればよいが、一般的には酸価の限界値は２．５（mgKOH/g）〜３．０（mgKOH/g）、重合物量の限界値は１０（%）〜１２(%)である。なお限界値は、上記値に限定されるものではない。
【００６２】
なお導電率と抵抗は互いに逆数の関係にあるため、上記説示した導電率を抵抗に置き換えることを当業者は容易に理解する。
【００６３】
また、極性化合物量は、重合物量との間に良好な相関関係があり、予め求めた極性化合物量と重量物量との相関関係から計算することができる値である。よって導電率（コンダクタンス）の温度依存性の傾き（ｄＧ／ｄＴ）と相関関係があることは明らかである。したがって、導電率（コンダクタンス）の温度依存性の傾き（ｄＧ／ｄＴ）から、極性化合物量を算出することは可能である。食用油が劣化すると、極性を持った種々の物質（分解性生物、重合物、遊離脂肪酸など）が生じる。すなわち「極性化合物量」とは、トリグリセライド以外の形状となった物質の総量であり、食用油の劣化程度の指標の１つである。
【００６４】
＜２．本発明にかかる食用油の劣化程度評価装置およびフライ用器具＞
本発明にかかる食用油の劣化程度評価装置（以下「本発明の評価装置」という）は、被験油の導電率を測定する導電率測定部、被験油の温度を測定する温度測定部、および被験油の導電率の温度依存性の傾きを計算する計算部を備えることを特徴としている。
【００６５】
図２５に本発明の評価装置の一例のブロック図を示す。
【００６６】
当該本発明の評価装置３０は、導電率測定部３１、温度測定部３２、制御部３３、および表示部３４を有している。なお制御部３３は測定制御部３３ａ、温度制御部３３ｂ、および計算部３３ｃで構成されている。
【００６７】
導電率測定部３１は、測定制御部３３ａからの電気信号を受けて被験油の導電率の測定を行なう。そして、その測定データを計算部３３ｃへ電気信号として送る。当該導電率測定部３１は、例えば公知のテスターにより構成されている。
【００６８】
また温度測定部３２は、測定制御部３３ａからの電気信号を受けて被験油の温度の測定を行なう。そして、その測定データを計算部３３ｃ、温度制御部３３ｂへ電気信号として送る。当該温度測定部３２は、例えば公知のサーモセンサーにより構成されている。
【００６９】
測定制御部３３ａは、導電率測定部３１および温度測定部３２に対して、導電率および温度の測定を、ほぼ同時に行なうように制御する。また、測定制御部３３ａは少なくとも異なる２点以上の温度において導電率および温度の測定を行なうように制御する。なお導電率および温度の測定は、断続的に行なってもよいし、連続的に行なってもよい。
【００７０】
温度制御部３３ｂは、温度測定部３２からの測定データを受け、被験油を固定するための被験油固定部（図示せず）に備えられた加熱部（図示せず）を制御して、被験油の所定の温度となるように制御を行なう。なお当該被験油固定部は、劣化程度を評価する被験油を所定量注入できるようになっている。
【００７１】
計算部３３ｃは、インストールされているプログラムにより、導電率測定部３１および温度測定部３２からの測定データをもとに被験油の導電率の温度依存性の傾き（ｄＧ/ｄＴ）を計算することができる。またｄＧ／ｄＴから被験油の酸価、重合物量、色度、極性化合物量をさらに計算することが可能な構成であってもよい。当該計算部３３ｃの計算結果は、表示部３４により表示される。
【００７２】
一方、本発明にかかるフライ用器具は、上記本発明の評価装置を備えることを特徴としている。フライ用器具は、てんぷら、フライを行なうために用いられる器具であり、少なくとも食用油が注入され、揚げだねが投入されるフライ槽を有している。本発明にかかるフライ用器具は、上記フライ槽に本発明の評価装置を別途付加された構成であってもよいし、上記説示した本発明の評価装置の被験油固定部が、上記フライ槽そのものであるという構成であってもよい。また食用油をフライ可能な温度まで加熱することができる加熱部を備えた構成であってよい。なお上記の通り、本発明の評価装置における被験油固定部がフライ槽に相当する構成では、当該フライ槽に温度制御可能な加熱部が備えられており、当該加熱部によって食用油をフライ可能な温度に制御することができる。
【００７３】
上記本発明の評価装置およびフライ用器具には、上記構成に限定されるものではなく、その他必要な構成を適宜含んでいてもよい。
【００７４】
なお本発明は食用油のみに適用されるものではなく、潤滑油、燃料油等をも含む油、油脂に適用可能であることはいうまでもない。
【００７５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７６】
本発明によれば、フライ食品の加工に用いられる食用油の劣化を簡便かつ正確に評価することができ、フライ食品の製造において食用油の交換時期を即座に判断することが可能となる。したがって、本発明はフライ食品の製造を行なう食品加工業、フライ食品を顧客に提供する外食産業等に利用が可能である。
【図面の簡単な説明】
【００７７】
【図１】静電容量、導電率（コンダクタンス）、および抵抗の測定を行なうことができる誘電特性測定装置の概略図である。
【図２】図２（ａ）は静電容量、導電率（コンダクタンス）、および抵抗の測定を行なうことができる誘電特性測定装置に備えられた平行平板電極の斜視図であり、図２（ｂ）は、同平行平板電極の上面図である。
【図３】被験油（Ｆ２）の温度と誘電率との関係を示すグラフである。
【図４】被験油（Ｈ１）の温度と誘電率との関係を示すグラフである。
【図５】被験油（Ａ２）の温度と誘電率との関係を示すグラフである。
【図６】被験油（Ａ３）の温度と誘電率との関係を示すグラフである。
【図７】被験油（Ｆ２）の温度と導電率（コンダクタンス）との関係を示すグラフである。
【図８】被験油（Ｈ１）の温度と導電率（コンダクタンス）との関係を示すグラフである。
【図９】被験油（Ａ２）の温度と導電率（コンダクタンス）との関係を示すグラフである。
【図１０】被験油（Ａ３）の温度と導電率（コンダクタンス）との関係を示すグラフである。
【図１１】被験油（Ｆ２）の劣化程度と誘電率との関係を示すグラフであり、（ａ）は酸価と誘電率との関係を示し、（ｂ）は重量物量と誘電率との関係を示し、（ｃ）は色度と誘電率の関係を示す。
【図１２】被験油（Ｈ１）の劣化程度と誘電率との関係を示すグラフであり、（ａ）は酸価と誘電率との関係を示し、（ｂ）は重量物量と誘電率との関係を示し、（ｃ）は色度と誘電率の関係を示す。
【図１３】被験油（Ａ２）の劣化程度と誘電率との関係を示すグラフであり、（ａ）は酸価と誘電率との関係を示し、（ｂ）は重量物量と誘電率との関係を示し、（ｃ）は色度と誘電率の関係を示す。
【図１４】被験油（Ａ３）の劣化程度と誘電率との関係を示すグラフであり、（ａ）は酸価と誘電率との関係を示し、（ｂ）は重量物量と誘電率との関係を示し、（ｃ）は色度と誘電率の関係を示す。
【図１５】被験油（Ｆ２）の劣化程度と導電率との関係を示すグラフであり、（ａ）は酸価と導電率との関係を示し、（ｂ）は重量物量と導電率との関係を示し、（ｃ）は色度と導電率の関係を示す。
【図１６】被験油（Ｈ１）の劣化程度と導電率との関係を示すグラフであり、（ａ）は酸価と導電率との関係を示し、（ｂ）は重量物量と導電率との関係を示し、（ｃ）は色度と導電率の関係を示す。
【図１７】被験油（Ａ２）の劣化程度と導電率との関係を示すグラフであり、（ａ）は酸価と導電率との関係を示し、（ｂ）は重量物量と導電率との関係を示し、（ｃ）は色度と導電率の関係を示す。
【図１８】被験油（Ａ３）の劣化程度と導電率との関係を示すグラフであり、（ａ）は酸価と導電率との関係を示し、（ｂ）は重量物量と導電率との関係を示し、（ｃ）は色度と導電率の関係を示す。
【図１９】全ての被験油（Ｆ２、Ｈ１、Ａ２、Ａ３）における温度と導電率（コンダクタンス）との関係を示すグラフである。
【図２０】被験油（Ｆ２）の導電率（コンダクタンス）の温度依存性の傾き（ｄＧ／ｄＴ）と、同被験油（Ｆ２）の劣化程度（酸価、重合物量、色度）との関係を示すグラフであり、（ａ）は酸価とｄＧ／ｄＴとの関係を示し、（ｂ）は重量物量とｄＧ／ｄＴとの関係を示し、（ｃ）は色度とｄＧ／ｄＴの関係を示す。
【図２１】被験油（Ｈ１）の導電率（コンダクタンス）の温度依存性の傾き（ｄＧ／ｄＴ）と、同被験油（Ｈ１）の劣化程度（酸価、重合物量、色度）との関係を示すグラフであり、（ａ）は酸価とｄＧ／ｄＴとの関係を示し、（ｂ）は重量物量とｄＧ／ｄＴとの関係を示し、（ｃ）は色度とｄＧ／ｄＴの関係を示す。
【図２２】被験油（Ａ２）の導電率（コンダクタンス）の温度依存性の傾き（ｄＧ／ｄＴ）と、同被験油（Ａ２）の劣化程度（酸価、重合物量、色度）との関係を示すグラフであり、（ａ）は酸価とｄＧ／ｄＴとの関係を示し、（ｂ）は重量物量とｄＧ／ｄＴとの関係を示し、（ｃ）は色度とｄＧ／ｄＴの関係を示す。
【図２３】被験油（Ａ３）の導電率（コンダクタンス）の温度依存性の傾き（ｄＧ／ｄＴ）と、同被験油（Ａ３）の劣化程度（酸価、重合物量、色度）との関係を示すグラフであり、（ａ）は酸価とｄＧ／ｄＴとの関係を示し、（ｂ）は重量物量とｄＧ／ｄＴとの関係を示し、（ｃ）は色度とｄＧ／ｄＴの関係を示す。
【図２４】全ての被験油（Ｆ２、Ｈ１、Ａ２、Ａ３）の導電率（コンダクタンス）の温度依存性の傾き（ｄＧ／ｄＴ）と、同被験油（Ｆ２、Ｈ１、Ａ２、Ａ３）の劣化程度（酸価、重合物量、色度）との関係を示すグラフであり、（ａ）は酸価とｄＧ／ｄＴとの関係を示し、（ｂ）は重量物量とｄＧ／ｄＴとの関係を示し、（ｃ）は色度とｄＧ／ｄＴの関係を示す。
【図２５】本発明にかかる食用油の劣化程度評価装置（一例）のブロック図である。
【符号の説明】
【００７８】
３０    評価装置
３１    導電率測定部
３２    温度測定部
３３    制御部
３３ａ  測定制御部
３３ｂ  温度制御部
３３ｃ  計算部
３４    表示部
【図１】
2006226735.tif 000008
【図２】
2006226735.tif 000009
【図３】
2006226735.tif 000010
【図４】
2006226735.tif 000011
【図５】
2006226735.tif 000012
【図６】
2006226735.tif 000013
【図７】
2006226735.tif 000014
【図８】
2006226735.tif 000015
【図９】
2006226735.tif 000016
【図１０】
2006226735.tif 000017
【図１１】
2006226735.tif 000018
【図１２】
2006226735.tif 000019
【図１３】
2006226735.tif 000020
【図１４】
2006226735.tif 000021
【図１５】
2006226735.tif 000022
【図１６】
2006226735.tif 000023
【図１７】
2006226735.tif 000024
【図１８】
2006226735.tif 000025
【図１９】
2006226735.tif 000026
【図２０】
2006226735.tif 000027
【図２１】
2006226735.tif 000028
【図２２】
2006226735.tif 000029
【図２３】
2006226735.tif 000030
【図２４】
2006226735.tif 000031
【図２５】
2006226735.tif 000032